【事件の表示】
　上記当事者間の特許第３９００９４０号発明「建築構造物及び間仕切り壁施工方法」の特許無効審判事件について、次のとおり審決する。
【結　論】
　訂正を認める。
　特許第３９００９４０号の請求項１及び２に係る発明についての特許を無効とする。
　審判費用は、被請求人の負担とする。
【理　由】
第１．手続の経緯
　平成１４年　１月２３日　出願（特願２００２−１３９３６号）
　平成１９年　１月１２日　設定登録（特許第３９００９４０号）
　平成１９年　７月１８日　本件無効審判請求
　　　　　　　　　　　　（無効２００７−８００１３６号）
　平成１９年１０月　９日　答弁書及び訂正請求書
　平成１９年１１月１３日　弁駁書
　平成１９年１２月２７日　口頭審理
　　　　　　　　　　　　　口頭審理陳述要領書（請求人）
　　　　　　　　　　　　　口頭審理陳述要領書（被請求人）
　平成２０年　２月　４日　上申書（請求人）
　　　　　　　　　　　　　上申書（被請求人）
　
第２．審判請求の概要・被請求人の答弁等
２−１．請求人有限会社泰成電機工業は、本件の請求項１及び３に係る発明は、甲第１号証に記載された発明と同一であるから、特許法第２９条第１項第３号に違反し、あるいは、特許法第２９条第２項に違反し、本件の請求項２に係る発明は、甲第１号証及び甲第２号証に記載された発明に基いて当業者が容易に発明をすることができたものであり、特許法第２９条第２項の規定に違反して特許されたものであるから、同法第１２３条第１項第２号の規定により無効とすべきであると主張し、証拠方法として甲第１、２号証を提出し、弁駁書で、訂正後の請求項１及び２に係る発明は、甲第１号証に記載された発明に基いて当業者が容易に発明をすることができたものであり、特許法第２９条第２項の規定に違反し、無効理由を有する旨主張し、口頭審理陳述要領書において甲第３〜８号証を提出し、更に、上申書で甲第９〜１２号証を提出した。
　甲第１号証：特開２００１−２９５４５１号公報
　甲第２号証：特開平１１−１６６２８０号公報
　甲第３号証：特開２００１−３２４１９号公報
　甲第４号証：特開平１１−１００９２６号公報
　甲第５号証：特開２０００−１９９２９５号公報
　甲第６号証：特開平１１−２００５３９号公報
　甲第７号証：実願平３−１１０１９０号（実開平５−５２０３１号）のＣＤ−ＲＯＭ
　甲第８号証：特開平６−１０８５６８号公報
　甲第９号証：特開昭４９−５０７１６号公報
　甲第１０号証：特開平８−３１２１６８号公報
　甲第１１号証：特開平９−３２１６２号公報
　甲第１２号証：特開平１０−１０２６４１号公報
　
２−２．被請求人ヤマハ株式会社は、上記請求に対する答弁書において、本件審判の請求は成り立たないとの審決を求め、請求人の主張する無効理由は当を得ておらず、訂正後の請求項１、２に係る発明は、甲第１号証に記載された発明と同一ではなく、甲第１号証に記載された発明に基づいて当業者が容易に発明することができたものではなく、無効理由はない旨主張した。
　
第３．訂正の内容
　平成１９年１０月９日付けの訂正請求の趣旨は、訂正請求書に添付した訂正明細書の通り訂正することを求めるものであって、その内容は、以下の通りである。
　
３−１．訂正事項１
　請求項１の「支持脚とを具備する建築構造物であって、」の次に「
前記支持脚は、高さ調整可能な床ランナーを備え、当該床ランナー上に前記間仕切り壁が立設され、
としての床ランナー
　
３−２．訂正事項２
　訂正前の請求項２を削除し、訂正前の請求項３を新たに請求項２とする。
　
３−３．訂正事項３
　訂正後の請求項２について「前記間仕切り壁を支持するための支持脚を前記貫通孔に挿通して前記床基盤上に立設するとともに、前記貫通孔の側面と前記支持脚との間に隙間を設ける支持脚立設過程と」を、「前記間仕切り壁を支持するための
高さ調整可能な床ランナーを備えた
としての前記床ランナー
の前記床ランナー上に
立設
　
３−４．訂正事項４
　明細書の段落番号００１１の「支持脚とを具備する建築構造物であって、」の次に、「
前記支持脚は、高さ調整可能な床ランナーを備え、当該床ランナー上に前記間仕切り壁が立設され、
としての床ランナー
　
３−５．訂正事項５
　明細書の段落００１５、００１６を削除する。
　
３−６．訂正事項６
　明細書の段落００１７の「前記間仕切り壁を支持するための支持脚を前記貫通孔に挿通して前記床基盤上に立設するとともに、前記貫通孔の側面と前記支持脚との間に隙間を設ける支持脚立設過程と」を、「前記間仕切り壁を支持するための
高さ調節可能な床ランナーを備えた
としての前記床ランナー
の前記床ランナー上
立設
　
第４．訂正の適否について
　上記訂正事項１〜３は、特許請求の範囲の減縮を目的とするものであり、また、訂正事項４〜６は、特許請求の範囲の訂正に伴い明りょうでない記載の釈明を目的とするものと認められる。
　そして、上記訂正事項はいずれも、願書に添付した明細書又は図面に記載した事項の範囲内であり、実質上特許請求の範囲を拡張し、変更するものでもない。
　したがって、上記訂正は、特許法第１３４条の２ただし書き、及び、同条第５項において準用する特許法第１２６条第３項、第４項の要件を満たし、適法なものといえるから、上記訂正を認める。
　
第５．請求人主張の無効理由について
５−１．本件訂正発明
　上記したように、平成１９年１０月９日付けの訂正請求は認められるから、本件請求項１及び２に係る発明（以下、「本件訂正発明１」及び「本件訂正発明２」という。）は、上記訂正請求書に添付した訂正明細書の特許請求の範囲の請求項１及び２に記載された事項により特定される以下のとおりのものである。
　
「【請求項１】　床基盤と表面床とを備えた二重床と、前記表面床上に設けられた間仕切り壁と、前記間仕切り壁を支持する支持脚とを具備する建築構造物であって、
　前記支持脚は、高さ調整可能な床ランナーを備え、当該床ランナー上に前記間仕切り壁が立設され、前記表面床における間仕切り壁の下面と対向する部分には貫通孔が穿設され、当該貫通孔を挿通して前記支持脚が前記床基盤上に設けられ、
　前記貫通孔の側面と前記支持脚との間および前記支持脚における前記間仕切り壁を受ける部位としての床ランナーと前記表面床との間には隙間が設けられ、当該隙間によって、前記床基盤と前記表面床との間に位置する床下空間と、前記表面床の上方に位置する床上空間とをつなぐ空気の通り道が形成されている
　ことを特徴とする建築構造物。
　【請求項２】　床基盤と表面床とを備えた二重床に対する間仕切り壁の施工方法であって、
前記表面床における間仕切り壁の下面と対向する部分の一部に貫通孔を穿設する貫通孔穿設過程と、
　前記間仕切り壁を支持するための高さ調整可能な床ランナーを備えた支持脚を前記貫通孔に挿通して前記床基盤上に立設するとともに、前記貫通孔の側面と前記支持脚との間に隙間を設ける支持脚立設過程と、
　前記支持脚における前記間仕切り壁を受ける部位としての前記床ランナーと前記表面床との間に隙間が設けられるように前記支持脚の高さを調整した後、当該支持脚の前記床ランナー上に前記間仕切り壁を立設させる間仕切り壁支持過程と
　を具備し、
　前記支持脚立設過程にて設けられた隙間と、前記間仕切り壁支持過程にて設けられた隙間によって、前記床基盤と前記表面床との間に位置する床下空間と、前記表面床の上方に位置する床上空間とをつなぐ空気の通り道が形成される
　ことを特徴とする間仕切り壁施工方法。」
　
５−２．甲第１号証
　請求人が提出した甲第１号証（特開２００１−２９５４５１号公報）には、以下の記載が図示とともにある。
　ａ．【請求項１】  複数の支持脚により床構成部材が基礎床面上所定の高さ位置に支持されて床が形成された二重床構造において、間仕切り又は重量載置物からなる被支持物が床構成部材と直接接触していない状態に高さ調整自在な補強用支持脚により支持されていることを特徴とする二重床構造。
　ｂ．【請求項２】  前記床構成部材に補強用支持脚挿通用の開口部が形成され、該開口部と補強用支持脚及び／又は被支持物との間の空隙部に遮音性もしくは防振性材料が装填されていることを特徴とする請求項１に記載の二重床構造。
　ｃ．【請求項４】  複数の支持脚により床構成部材が基礎床面上所定の高さ位置に支持されて床が形成されように二重床を敷設した後、上記床構成部材に補強用支持脚挿通用の開口部を形成し、該開口部から間仕切り又は重量載置物からなる被支持物を支持するための高さ調整自在な補強用支持脚を挿入して基礎床面上に設置し、上記被支持物を床構成部材と直接接触しない状態に上記補強用支持脚に載置し、支持することを特徴とする間仕切り又は重量載置物の施工方法。
　ｄ．【請求項５】  前記補強用支持脚の支持面が二重床の床上面より高くなるように高さ調整を行ない、補強用支持脚挿通用の開口部と補強用支持脚及び／又は被支持物との間の空隙部に遮音性もしくは防振性材料を装填することを特徴とする請求項４に記載の施工方法。
　ｅ．【００１０】
【発明の実施の形態】本発明の二重床構造の特徴は、高さ調整自在な補強用支持脚及びそれにより支持される間仕切り、重量載置物等の被支持物を、二重床の床構成部材（床下地パネル、捨て張り合板、床仕上げ材等）と実質的に接触しないように構築した点にある。すなわち、複数の支持脚により床構成部材が基礎床面上所定の高さ位置に支持されて床が形成された二重床構造において、間仕切り又は重量載置物からなる被支持物が床構成部材と直接接触していない状態に補強用支持脚により支持されていることを特徴としている。このように、補強用支持脚及びそれにより支持される被支持物と、二重床の床構成部材（床下地パネル、捨て張り合板、床仕上げ材等）との直接接触状態を遮断することにより、床衝撃音（振動）が補強用支持脚を介してコンクリートスラブ等の基礎床及び階下に伝播したり、間仕切りを介して隣室に伝播することがなく、床衝撃音の問題を大幅に緩和できると共に、間仕切り設置位置や重量物載置位置の床の沈み込みを生じることもない。
　ｆ．【００１１】また、前記のような二重床構造を採用することにより、床先行工法により、床施工後に簡単に間仕切りの施工や重量物の補強支持が可能になる。すなわち、本発明の施工方法は、二重床を敷設した後、床構成部材に補強用支持脚挿通用の開口部を形成し、該開口部から間仕切り、重量載置物等の被支持物を支持するための高さ調整自在な補強用支持脚を挿入して基礎床面上に設置し、上記被支持物を床構成部材と直接接触しない状態に（例えば、補強用支持脚の支持面が二重床の床上面より高くなるように高さ調整を行なうことにより）、上記補強用支持脚に載置し、支持することを特徴としている。上記開口部は、間仕切り設置位置や重量物配置位置に正確にかつ簡単に形成できるので、間仕切りの設置や重量物の配置を安定して施工性良く行なうことができる。
　ｇ．【００１２】また、床構成部材に形成した開口部と補強用支持脚及び／又は被支持物との間の空隙部に、遮音性もしくは防振性材料を装填すれば、床衝撃音遮断性能がより一層向上する。さらに、被支持物が間仕切りの場合、間仕切りの下辺部に、可撓性の張り出し片を有する巾木を貼着し、該巾木の張り出し片が床構成部材の表面に接触するように構成すれば、床衝撃音遮断性能を損なうことなく、床構成部材の開口部と補強用支持脚及び／又は被支持物との間の空隙部に埃が溜まるのを効果的に防止できると共に、意匠性も向上する。
　ｈ．【００１４】
【実施例】以下、添付図面に示す実施例を説明しつつ、本発明についてさらに詳細に説明する。図１は、乾式置床工法により構築された二重床構造に、本発明に従って間仕切りを施工した一実施例を示している。二重床は、図１及び図２に示すように、基礎床面１上に所定のピッチで配置されたユニット支持脚２の受け板６上面に、隣接する各床パネル７の縁部を片持たせの状態で載置し、所定の間隙Ｓを開けて接着剤、釘等により固定して構築されている。ユニット支持脚２は、例えば弾性ゴム製の台座３に回動自在に植設された支持ボルト４と、環状の支持部を有するレベル調整用ナット５と、中央部に挿入孔を有し、かつ上面に粘着シート（図示せず）が貼着された受け板６とから構成される。受け板６に穿設された挿入孔（図示せず）に嵌合して取り付けられたレベル調整用ナット５に支持ボルト４のネジ部がねじ込まれ、ユニット支持脚２が組み立てられる。なお、支持ボルト４の上端面にはマイナス溝（プラス溝や多角形凹陥部でもよい）が設けられており、該溝にドライバー等の回転用工具の先端を嵌め込んで支持ボルト４を回転させることにより、レベル調整用ナット５及びそれが嵌合された受け板６が上下動し、受け板６により支持されている床パネル７及びその上に敷設された床仕上げ材８（ＣＦシート、絨毯、畳、木質フロアー材等）の床面レベルを調整することができる。
　ｉ．【００１５】二重床施工後、間仕切り２０の施工においては、図１及び図３に示すように、床構成部材（床パネル７及び床仕上げ材８）に間仕切り設置ラインＡに沿って所定のピッチで補強用支持脚挿入用の孔（開口部）９をあける。孔９の数は間仕切りを支持するに最低限必要な数以上とする。孔９の直径Ｄは、補強用支持脚１０の接床基台１１の直径よりも大きくする必要があるが、好ましくは設置する間仕切り２０の厚さＷよりも小さくなるようにする。なお、隣接する床パネル間のラインに沿って間仕切りを設置する場合には、床パネルの相対する辺縁部に切欠き部を形成し、孔状の開口部が形成されるようにすればよい。次いで、図１及び図３に示すように、上記孔９に補強用支持脚１０を挿入し、基礎床面１上に設置した後、それらの支持板１４のレベル調整を行なう。補強用支持脚としては、二重床の施工に通常使用される支持脚（前記したようなユニット支持脚２）でもよく、あるいは若干改良した支持脚でもよい。また、必要に応じて、補強用支持脚１０の接床基台１１の下面を基礎床面１に接着固定する。
　ｊ．【００１６】次に、補強用支持脚１０の支持板１４に木製、金属製等のライナー２１を接着剤、釘、ビス等で固定した後、その上に間仕切りの軸部材を立設・施工し、最後にボード２２をビス等で固定して間仕切り下地を完成させる。このとき、ボード２２は床構成部材（床パネル７及び床仕上げ材８）と接触しない状態とする。その後、必要に応じて、ボード２２の下辺部に、巾木、好ましくは図４に示すような可撓性の張り出し片２４（ベロ）を有する巾木２３を用い、張り出し片２４の下端縁部が床仕上げ材８の表面に接触した状態に貼着する。このような張り出し片２４はプラスチックから巾木２３と一体成形によって形成することもできるし、あるいはプラスチック、木、金属等から作製された巾木２３にラミネートして形成することもできる。
　ｋ．【００１９】支持板１４は、パーティクルボード、積層合板、木質繊維板、プラスチック、金属等から作製することができ、その中央貫通孔上部は面取りされて拡開されている。レベル調整用ナット１３は該支持板１４の中央貫通孔に嵌合され、次いでその上部を拡開し、あるいは支持板１４が木製の場合にはさらに貫通孔面取り部に部分的に埋没させることによって、支持板１４に強固に取り付けられる。それと共に、レベル調整用ナット１３の上部には接着剤溜り１９が形成される。このようにして支持板１４の貫通孔に嵌合されたレベル調整用ナット１３に、支持ボルト１２のネジ部上端部をねじ込むことによって、図５に示すように補強用支持脚１０が組み立てられる。なお、支持板１４の高さレベルは、支持ボルト１２の上端面に形成された係合部（溝）１８にドライバー等の回転用工具の先端を嵌め込んで支持ボルト１２を回転させることにより調整できる。
　ｌ．【００２２】一方、図７は、前記図６と同様に床パネル７の開口部９と補強用支持脚１０との間の空隙部にゴム等の防振性もしくは遮音性の材料からなる弾性充填材２５が装填されていると共に、間仕切り２０ａ下端面との間にも、グラスウール、プラスチック発泡体、ポリエステル中空繊維等のプラスチック中空繊維などからなる遮音性材料２６が装填されて、間仕切り２０ａを介しての床衝撃音の隣室への伝播を効果的に防止するように構成されている。なお、本実施例では、補強用支持脚１０の支持板１４が間仕切り２０ａのライナーを兼ねている。従って、ボード２２はレベル調整された補強用支持脚１０の支持板１４に直に取り付けられる。
　ｍ．【００２３】前記した各実施例では、補強用支持脚１０の支持板１４に固定したライナー２１又は補強用支持脚１０の支持板１４の上に間仕切りの軸部材を立設・施工し、最後にボード２２を施工して間仕切り下地を完成させる例を示しているが、間仕切りユニットを用いてもよい。その一例を図８に示す。図８に示す間仕切りユニット２０ｂは、上部枠部材２７、ライナー（下部枠部材）２１及び縦枠部材（図示せず）からなる枠体の両側面にボード２２が固着された構造を有し、上部枠部材２７には支持ボルト２９の下端部を挿入するためのボルト挿入孔２８が穿設されている。なお、このボルト挿入孔２８は間仕切りユニット２０ｂの幅に応じて１個又は複数個設ける。一方、支持ボルト２９の上端部にはフランジ状の天井押圧部材３０が装着されている。なお、天井押圧部材３０の形状は図示のものに限られず、支持ボルト２９の径より拡大されて天井にピッタリとフィットして押圧できるような押圧部材であれば全て使用できる。
　ｎ．【図７】から、孔９の側面と補強用支持脚１０との間には空隙部が設けられ、当該空隙部に弾性充填材２５が装填され、支持板１４と床構成部材（床パネル７及び床仕上げ材８）との間にも空隙部が設けられ、当該空隙部に遮音性材料２６が装填されていることが看取できる。
　
　甲第１号証の上記ｋ．に「支持板１４の高さレベルは、支持ボルト１２の上端面に形成された係合部（溝）１８にドライバー等の回転用工具の先端を嵌め込んで支持ボルト１２を回転させることにより調整できる。」と記載され、上記ｌ．に「本実施例では、補強用支持脚１０の支持板１４が間仕切り２０ａのライナーを兼ねている。」と記載され、上記ｍ．に「ライナー（下部枠部材）２１」と記載されており、下部枠部材であれば、長尺部材であることは明らかであり、支持板１４が長尺部材からなるものを想定できるから、甲第１号証記載の補強用支持脚１０は、高さ調整可能な長尺部材からなる支持板１４を備えているものといえる。
　支持板１４が間仕切り２０ａのライナーを兼ねている場合においても、上記ｉ．、ｊに記載された順序で間仕切り２０ａが設置されることは明らかであるから、支持板１４上に間仕切り２０ａの軸部材が立設されているものといえる。
　よって、上記記載を含めた明細書全体の記載及び図面の記載から、甲第１号証には、以下の発明がそれぞれ記載されているものと認められる。
「基礎床面１と床構成部材（床パネル７及び床仕上げ材８）とを備えた二重床と、間仕切り２０ａと、前記間仕切り２０ａを支持する補強用支持脚１０とを具備する二重床に対する間仕切り２０ａの構造であって、
　前記補強用支持脚１０は、高さ調整可能な長尺部材からなる支持板１４を備え、当該支持板１４上に前記間仕切り２０ａの軸部材が立設され、間仕切り２０ａのボード２２が床構成部材と接触しない状態に固定され、間仕切り設置ラインＡに沿って前記床構成部材に補強用支持脚挿入用の孔９が穿設され、当該孔９を挿通して前記補強用支持脚１０が前記基礎床面１上に設けられ、
　前記孔９の側面と補強用支持脚１０との間には空隙部が設けられ、当該空隙部に弾性充填材２５が装填され、支持板１４と床構成部材との間にも空隙部が設けられ、当該空隙部に遮音性材料２６が装填されている
　二重床に対する間仕切り２０ａの構造。」（甲第１号証第１発明）
「基礎床面１と床構成部材（床パネル７及び床仕上げ材８）とを備えた二重床に対する間仕切り２０ａの施工方法であって、
　間仕切り設置ラインＡに沿って前記床構成部材に補強用支持脚挿入用の孔９を穿設する過程と、
　前記間仕切り２０ａを支持するための高さ調整可能な長尺部材からなる支持板１４を備えた補強用支持脚１０を前記孔９に挿通して前記基礎床面１上に立設するとともに、前記孔９の側面と前記補強用支持脚１０との間に空隙部を設ける過程と、
　前記補強用支持脚１０における前記支持板１４と前記床構成部材との間に空隙部が設けられるように前記補強用支持脚１０の高さを調整した後、当該補強用支持脚１０の前記床支持板１４上に前記間仕切り壁２０ａの軸部材を立設させ、間仕切り２０ａのボード２２を床構成部材と接触しない状態に固定する過程と
　を具備し、
　前記孔９の側面と補強用支持脚１０との間の空隙部に弾性充填材２５が装填され、支持板１４と床構成部材との間の空隙部に遮音性材料２６が装填されている
　二重床に対する間仕切り２０ａの施工方法。」（甲第１号証第２発明）
　
５−３．対比、判断
（１）．本件訂正発明１について
　本件訂正発明１と甲第１号証第１発明とを対比すると、甲第１号証第１発明の「基礎床面１」、「床構成部材（床パネル７及び床仕上げ材８）」、「間仕切り２０ａ」、「補強用支持脚１０」、「補強用支持脚挿入用の孔９」及び「空隙部」は、本件訂正発明１の「床基盤」、「表面床」、「間仕切り壁」、「支持脚」、「貫通孔」及び「隙間」に相当する。
　甲第１号証第１発明の「二重床に対する間仕切り２０ａの構造」は、建築構造物の一部であり、本件訂正発明１の「建築構造物」が二重床に対する間仕切り壁の構造を有していることは明らかであるから、二重床に対する間仕切り壁の構造を限度として一致する。
　平成１９年１２月２７日に行われた口頭審理において、『本件訂正後の請求項記載の「ランナー」とは、「間仕切り壁を支持する長尺材」を意味する。』と両当事者が認めており、本件明細書全体の記載からもそのように解することができ、甲第１号証第１発明の「長尺部材からなる支持板１４」が間仕切り２０ａを支持することは明らかであるから、甲第１号証第１発明の「長尺部材からなる支持板１４」は、本件訂正発明１の「床ランナー」に相当し、間仕切り壁を受ける部位であるといえる。
　甲第１号証第１発明は、「間仕切り設置ラインＡに沿って前記床構成部材に補強用支持脚挿入用の孔９が穿設され」るものであるから、補強用支持脚挿入用の孔９は、設置が予定される間仕切り２０ａの下面と対向する部分に穿設されることは明らかであり、本件訂正発明１の「表面床における間仕切り壁の下面と対向する部分には貫通孔が穿設され」に相当する。
　よって、両発明は、
「床基盤と表面床とを備えた二重床と、間仕切り壁と、前記間仕切り壁を支持する支持脚とを具備する二重床に対する間仕切り壁の構造であって、
　前記支持脚は、高さ調整可能な床ランナーを備え、前記表面床における間仕切り壁の下面と対向する部分には貫通孔が穿設され、当該貫通孔を挿通して前記支持脚が前記床基盤上に設けられ、
　前記貫通孔の側面と前記支持脚との間および前記支持脚における前記間仕切り壁を受ける部位としての床ランナーと前記表面床との間には隙間が設けられている
　二重床に対する間仕切り壁の構造。」
の点で一致しており、以下の点で相違している。
［相違点１］間仕切り壁と床ランナー及び表面床の位置関係に関し、本件訂正発明１は、床ランナー上に間仕切り壁が立設され、間仕切り壁は、表面床上に設けられたのに対し、甲第１号証第１発明は、支持板１４上に間仕切り２０ａの軸部材が立設され、間仕切り２０ａのボード２２が床構成部材と接触しない状態に固定されているものの、本件訂正発明１のような特定がなされていない点。
［相違点２］隙間に関し、本件訂正発明１は、隙間によって、床基盤と表面床との間に位置する床下空間と、前記表面床の上方に位置する床上空間とをつなぐ空気の通り道が形成されているのに対し、甲第１号証第１発明は、本件訂正発明１のような特定がなされていない点。
［相違点３］本件訂正発明１は、建築構造物であるのに対し、甲第１号証第１発明は、二重床に対する間仕切り２０ａの構造であって、本件訂正発明１のような特定がなされていない点。
　
　上記相違点１について検討する。
　本件訂正発明１の「床ランナー上に間仕切り壁が立設」が必ずしも明らかではないが、平成２０年２月４日付け上申書の第１頁末行〜第２頁第１行に『「間仕切り壁の下端が床ランナーの上面により支持されている」ことを意味する。』と記載されていることから、間仕切り壁の下端が床ランナーの上面により支持されていることを意味するものと認められる。
　甲第１号証【図７】に示すように、支持板１４の幅は、間仕切り２０ａの幅より狭く、間仕切り２０ａの一部であるボード２２の下端は、支持板１４の上になく、ボード２２の下端は、床構成部材の床仕上げ材８の上に設けられているとはいえないが、間仕切り壁を支持する長尺材であるランナーの幅と間仕切りの幅の関係をどのようにするかは必要に応じ適宜選択し得るものであり、ランナーの幅を間仕切り壁の幅と同じあるいは広くし、間仕切り壁の下端を床ランナーの上面で支持させることは、周知技術（甲第３号証、甲第９〜１２号証参照。）でもあるから、甲第１号証第１発明の長尺部材からなる支持板１４と間仕切り２０ａの関係に前記周知技術を適用し、床ランナー上面で間仕切り壁の下端を支持、即ち、床ランナー上に間仕切り壁を立設することは、当業者が容易に想到し得る程度のことであり、そうすれば、間仕切り壁が表面床上に設けられることになる。
　
　上記相違点２について検討する。
　本件明細書の段落【００４３】に「図３は、変形例１に係る建築構造物３００’の部分断面図である。なお、図３に示す建築構造物３００’は、図１に示す建築構造物３００の隙間Ｓに緩衝材９００を設けたものである。その他の構成要素については、図１に示す建築構造物３００と同様であるため、対応する部分には同一符号を付し、説明を省略する。緩衝材９００は、例えばポリエチレン、ポリプロピレン、ポリウレタンフォーム等の汎用発泡体やゴム弾性体等によって構成されている。かかる緩衝材９００を隙間Ｓに介挿することで、表面床４２０の振動により該表面床４２０と支持脚６１０が衝突してしまうといった問題を未然に防止することが可能となる。」とあり、隙間に緩衝材を介挿することが記載されているから、本件訂正発明１の「前記床基盤と前記表面床との間に位置する床下空間と、前記表面床の上方に位置する床上空間とをつなぐ空気の通り道」は、緩衝材等で塞がれることを排除していないものといわざるを得ない。
　甲第１号証第１発明も弾性充填材２５や遮音性材料２６が装填されているものの、孔９の側面と補強用支持脚１０との間の空隙部と、支持板１４と床構成部材との間の空隙部は、基礎床面１と床構成部材間の空間と床構成部材上の空間とをつないでいることは明らかであるから、上記相違点２は、実質的な相違点とはいえない。
　
　上記相違点３について検討する。
　甲第１号証第１発明は、「二重床に対する間仕切り２０ａの構造」であって、建築構造物とはいえないが、「二重床に対する間仕切り２０ａの構造」は、建築構造物の一部であるから、そのような構造を有する建築構造物とすることは当業者が容易になし得る程度のことである。
　
　そして、本件訂正発明１の作用効果も、甲第１号証第１発明及び周知技術から当業者が予測できる範囲のものである。
　
（２）．本件訂正発明２について
　本件訂正発明２と甲第１号証第２発明とを対比すると、甲第１号証第２発明の「基礎床面１」、「床構成部材（床パネル７及び床仕上げ材８）」、「間仕切り２０ａ」、「補強用支持脚１０」、「補強用支持脚挿入用の孔９」及び「空隙部」は、本件訂正発明２の「床基盤」、「表面床」、「間仕切り壁」、「支持脚」、「貫通孔」及び「隙間」に相当する。
　本件訂正後の請求項２の末尾の記載は、「間仕切り壁施工方法」であるが、冒頭に「・・・二重床に対する間仕切り壁の施工方法」と記載されているから、両者は同じことを意味し、したがって、甲第１号証第２発明の「二重床に対する間仕切り２０ａの施工方法」に相当する。
　上記「（１）．本件訂正発明１について」で検討したのと同様に、甲第１号証第２発明の「長尺部材からなる支持板１４」は、本件訂正発明２の「床ランナー」に相当し、間仕切り壁を受ける部位であるといえる。
　甲第１号証第２発明は、「間仕切り設置ラインＡに沿って前記床構成部材に補強用支持脚挿入用の孔９を穿設する過程」を有するものであるから、補強用支持脚挿入用の孔９は、設置が予定される間仕切りの下面と対向する部分に穿設されることは明らかであり、甲第１号証第２発明の前記過程は、本件訂正発明２の「表面床における間仕切り壁の下面と対向する部分の一部に貫通孔を穿設する貫通孔穿設過程」に相当する。
　甲第１号証第２発明の「前記間仕切り２０ａを支持するための高さ調整可能な長尺部材からなる支持板１４を備えた補強用支持脚１０を前記孔９に挿通して前記基礎床面１上に立設するとともに、前記孔９の側面と前記補強用支持脚１０との間に空隙部を設ける過程」は、本件訂正発明２の「前記間仕切り壁を支持するための高さ調整可能な床ランナーを備えた支持脚を前記貫通孔に挿通して前記床基盤上に立設するとともに、前記貫通孔の側面と前記支持脚との間に隙間を設ける支持脚立設過程」に相当する。
　甲第１号証第２発明の「前記補強用支持脚１０における前記支持板１４と前記床構成部材との間に空隙部が設けられるように前記補強用支持脚１０の高さを調整した後、当該補強用支持脚１０の前記床支持板１４上に前記間仕切り壁２０ａの軸部材を立設させ、ボード２２を床構成部材と接触しない状態に固定する過程」と、本件訂正発明２の「前記支持脚における前記間仕切り壁を受ける部位としての前記床ランナーと前記表面床との間に隙間が設けられるように前記支持脚の高さを調整した後、当該支持脚の前記床ランナー上に前記間仕切り壁を立設させる間仕切り壁支持過程」とは、「前記支持脚における前記間仕切り壁を受ける部位としての前記床ランナーと前記表面床との間に隙間が設けられるように前記支持脚の高さを調整した後、前記間仕切り壁を立設させる間仕切り壁支持過程」の点で共通する。
　よって、両発明は、
「床基盤と表面床とを備えた二重床に対する間仕切り壁の施工方法であって、
前記表面床における間仕切り壁の下面と対向する部分の一部に貫通孔を穿設する貫通孔穿設過程と、
　前記間仕切り壁を支持するための高さ調整可能な前記床ランナーを備えた支持脚を前記貫通孔に挿通して前記床基盤上に立設するとともに、前記貫通孔の側面と前記支持脚との間に隙間を設ける支持脚立設過程と、
　前記支持脚における前記間仕切り壁を受ける部位としての床ランナーと前記表面床との間に隙間が設けられるように前記支持脚の高さを調整した後、前記間仕切り壁を立設させる間仕切り壁支持過程と
　を具備する、
間仕切り壁施工方法。」
の点で一致しており、以下の点で相違している。
［相違点４］間仕切り壁支持過程に関し、本件訂正発明２は、支持脚の床ランナー上に間仕切り壁を立設させるのに対し、甲第１号証第２発明は、補強用支持脚１０の床支持板１４上に間仕切り壁２０ａの軸部材を立設させ、間仕切り壁２０ａのボード２２を床構成部材と接触しない状態に固定するものの、本件訂正発明２のような特定がなされていない点。
［相違点５］隙間に関し、本件訂正発明２は、支持脚立設過程にて設けられた隙間と、間仕切り壁支持過程にて設けられた隙間によって、床基盤と表面床との間に位置する床下空間と、前記表面床の上方に位置する床上空間とをつなぐ空気の通り道が形成されるのに対し、甲第１号証第２発明は、本件訂正発明１のような特定がなされていない点。
　
　上記相違点４について検討する。
　上記「（１）．本件訂正発明１について」の「相違点１について」で検討したように、間仕切り壁を支持する長尺材であるランナーの幅と間仕切りの幅の関係をどのようにするかは必要に応じ適宜選択し得るものであり、ランナーの幅を間仕切り壁の幅と同じあるいは広くし、間仕切り壁の下端を床ランナーの上面で支持させることは、周知技術（甲第３号証、甲第９〜１２号証参照。）でもあるから、甲第１号証第２発明の間仕切り壁支持過程において、長尺部材からなる支持板１４と間仕切り２０ａの関係に前記周知技術を適用し、床ランナー上面で間仕切り壁の下端を支持、即ち、床ランナー上に間仕切り壁を立設することは、当業者が容易に想到し得る程度のことである。
　
　上記相違点５について検討する。
　甲第１号証第２発明は、支持脚立設過程にて設けられた隙間、即ち、孔９の側面と補強用支持脚１０との間の空隙部に弾性充填材２５が装填され、間仕切り壁支持過程にて設けられた隙間、即ち、支持板１４と床構成部材との間の空隙部に遮音性材料２６が装填されているものであるが、上記「（１）．本件訂正発明１について」の「相違点２について」で検討したのと同様に、本件訂正発明２においても、緩衝材等で塞がれることを排除していないものといわざるを得ず、甲第１号証第２発明の空隙部は、基礎床面１と床構成部材間の空間と床構成部材上の空間とをつないでいるものであるから、上記相違点５は、実質的な相違点とはいえない。
　
　そして、本件訂正発明２の作用効果も、甲第１号証第２発明及び周知技術から当業者が予測できる範囲のものである。
　
５−４．被請求人の主張について
　被請求人は、平成２０年２月４日付け上申書第２頁第２２行〜第３頁第１行で、「甲第３号証の図４の構成は、面材３２および桟材３１からなるパネル本体３全体としてみれば、パネル本体３は床ランナー２の上に立設している。しかし甲第３号証は二重床ではなく、あくまで通常の床に設けられた床ランナー２の上にパネル本体３が、溝２１または段差部２２により（左右の）位置決めされて、立設する構成を開示しているにすぎない。これに対し本件発明は二重床の床基盤上に設けられた高さ調節可能な床ランナーの上に間仕切り壁を立設する構成を有するものであり、このような構成を有することによってはじめて、床ランナーの高さ調整のみによって、床下空間と床上空間とをつなぐ空気の通り道が形成されるという顕著な効果が奏されるものである。」と主張するが、甲第１号証第１発明、甲第１号証第２発明及び甲第３号証等に示す周知技術は、いずれも、間仕切りと床ランナーに関する技術であるから、甲第３号証等に示す周知技術を甲第１号証第１発明あるいは甲第１号証第２発明に適用することは、当業者が容易になし得る程度のことであり、その効果も当業者が予測できる範囲のものにすぎない。
　
第６．むすび
　以上のように、本件訂正発明１及び２は、いずれも甲第１号証に記載された発明及び周知技術に基いて当業者が容易に発明をすることができたものであるから、本件訂正発明１及び２の特許は、特許法第２９条第２項の規定に違反してなされたものであり、特許法第１２３条第１項第２号の規定により無効とすべきものである。
　審判に関する費用は、特許法第１６９条第２項の規定により準用する民事訴訟法第６１条の規定を適用して、被請求人が負担すべきものとする。
　よって、結論のとおり審決する。